(57)【要約】【課題】  本発明は、ＯＣＴ光学系を備えるガリレオ式の眼科用顕微鏡において、光学設計の自由度を高める新しい方式の眼科用顕微鏡を開発することを目的とする。【解決手段】  本発明は、照明光学系３００と、観察光学系４００と、対物レンズ２と、ＯＣＴ光学系５００と、前置レンズ１４を有する眼科用顕微鏡１において、  前記対物レンズ２を前記ＯＣＴ光学系の光軸Ｏ−５００が透過せず、ＯＣＴ用対物レンズ５０７を有しており、前記前置レンズ１４の焦点距離に応じて前記対物レンズ２又は前記ＯＣＴ用対物レンズ５０７と前記前置レンズ１４との間の距離が自動的に変化する、眼科用顕微鏡１を提供する。【選択図】図１
2018171438.tif 000002
【特許請求の範囲】
【請求項１】
被検眼を照明する照明光学系と、前記照明光学系で照明された前記被検眼を観察するための左眼用観察光学系と右眼用観察光学系を有する観察光学系と、前記観察光学系の前記左眼用観察光学系の光軸と前記右眼用観察光学系の光軸が共通して透過する対物レンズと、光コヒーレンストモグラフィにより前記被検眼を検査するための測定光の光路と参照光の光路を有するＯＣＴ光学系と、前記被検眼と前記対物レンズの間の光路上に挿脱可能な前置レンズとを有する眼科用顕微鏡において、
前記観察光学系の光軸が透過する前記対物レンズを前記ＯＣＴ光学系の光軸が透過せず、前記観察光学系の光軸と前記ＯＣＴ光学系の光軸とが非同軸となるように、前記観察光学系と、前記対物レンズと、前記ＯＣＴ光学系とが配置されており、
前記対物レンズとは別に、前記ＯＣＴ光学系の光軸が透過するＯＣＴ用対物レンズを有しており、
前記被検眼と前記対物レンズの間の光路上に前記前置レンズが挿入された時に、前記観察光学系の光軸と前記ＯＣＴ光学系の光軸とが前記前置レンズを透過し、
前記被検眼と前記対物レンズの間の光路上に挿入される前記前置レンズの焦点距離に応じて、次の１）又は２）の距離が自動的に変化し、
１）前記対物レンズと前記前置レンズの間の距離
２）前記ＯＣＴ用対物レンズと前記前置レンズの間の距離
前記被検眼と前記対物レンズの間の光路上で前記前置レンズが挿脱される時に、前記前置レンズの焦点距離に応じて、前記ＯＣＴ光学系の参照光の光路の長さが自動的に変化する
眼科用顕微鏡。
【請求項２】
前記ＯＣＴ光学系は、
ＯＣＴ光源からの光を第１の光軸方向に導光する第１光学部材と、
前記第１の光軸方向に導光された光を前記第１の光軸方向に略直交する第２の光軸方向に導光する第１反射部材と、
前記第２の光軸方向に導光された光をリレーする第２光学部材と、
前記第２光学部材によりリレーされた光を前記第２の光軸方向に略直交する第３の光軸方向に導光する第２反射部材と
を有しており、
前記ＯＣＴ用対物レンズは、前記第３の光軸方向に導光された光を観察対象の所定箇所に照射できるように、前記第３の光軸上に配置されていることを特徴とする、請求項１に記載の眼科用顕微鏡。
【請求項３】
前記被検眼と前記対物レンズの間の光路上に挿入される前記前置レンズの焦点距離に関する情報を取得するレンズ判別機構と、
前記対物レンズと前記前置レンズの間の距離及び／又は前記ＯＣＴ用対物レンズと前記前置レンズの間の距離を調整する位置調整機構と、
前記レンズ判別機構により取得される前記前置レンズの焦点距離に関する情報に基づき、位置調整機構を制御する制御機構と
をさらに有することを特徴とする、請求項１又は２に記載の眼科用顕微鏡。
【請求項４】
前記対物レンズが、円形レンズの部分形状、又は円形レンズに切り欠きを設けた形状を有しており、
前記ＯＣＴ光学系の光軸が、前記対物レンズの存在しない部分、又は前記対物レンズに設けられた切り欠きを通過することを特徴とする、請求項１から３のいずれかに記載の眼科用顕微鏡。
【請求項５】
円形レンズ又は円形レンズの部分からなるレンズを２つに分割し、
分割した一のレンズを、前記対物レンズとし、
分割した他の一のレンズを、前記ＯＣＴ用対物レンズとしたことを特徴とする、請求項４に記載の眼科用顕微鏡。
【発明の詳細な説明】
【技術分野】
【０００１】
本発明は、被検眼を照明する照明光学系と、照明された被検眼を観察するための観察光学系とを有する眼底カメラ、スリットランプ、眼科手術用顕微鏡等の眼科用顕微鏡に関する。本発明の眼科用顕微鏡は、光コヒーレンストモグラフィ（Optical Coherence Tomography:「ＯＣＴ」と略称される）により被検眼の断層像を得ることができるＯＣＴ光学系を有し、ＯＣＴ光学系と観察光学系とが独立できる構成となっていることを特徴とし、これにより眼科用顕微鏡の設計の自由度を高めることができる。
【背景技術】
【０００２】
眼科用顕微鏡は、患者の被検眼を照明光学系により照明し、レンズ等からなる観察光学系により被検眼を拡大して観察することができる医療用又は検査用の機器である。このような眼科用顕微鏡には、ＯＣＴ光学系を有することにより、被検眼の断層像を得ることができるものが開発されている。
【０００３】
ＯＣＴとは、コヒーレンスが低い（可干渉距離が短い）光源を用いて、干渉計を構成し、これにより生体の断層像を得る技術である。具体的には、コヒーレンスが低い光源を用いて、この光をビームスプリッタで２分し、一方の光（測定光）を生体組織に照射して反射又は散乱させ、もう一方の光（参照光）をミラーで反射させる。測定光は、生体組織のいろいろな深さの位置で反射又は散乱し、無数の反射光又は散乱光が戻ってくる。ビームスプリッタに戻ってきた測定光と参照光の反射光を合流させると、参照光と同じ距離だけ経由した測定光の反射光又は散乱光のみが、参照光の反射光と干渉して検出される。したがって、ビームスプリッタとミラーとの位置を調整して参照光の経路長を様々に変更することにより、生体組織の様々な深さで反射した測定光の強さを検出できる。このようなＯＣＴ光学系により、生体組織の断層像を得ることができる。
このＯＣＴ光学系を眼科用顕微鏡に設けることにより、眼の網膜や角膜、虹彩等の断層像を得ることが可能となり、組織の表面だけでなく内部の状態も観察することが可能となった。これにより眼の疾患の診断精度を高め、また、眼科手術の成功率を高めることができる。
【０００４】
このようなＯＣＴ光学系を有する眼科用顕微鏡においては、ＯＣＴ光学系の光が被検眼に入射できるように、照明光学系と観察光学系を有する顕微鏡にＯＣＴ光学系を組み込む必要があり、様々な方式が開発されている。
例えば、観察者の左眼用観察光学系と右眼用観察光学系とからなる観察光学系を有し、左右の観察光学系の光軸が共通して透過する一つの対物レンズを有するガリレオ式の眼科用顕微鏡において、対物レンズの側方から入射したＯＣＴ光源の光を、対物レンズの直上で反射部材により反射させ、対物レンズを透過させて被検眼に入射させる方式がある（特許文献１及び２等）。
【０００５】
より詳細に説明すると、図２０（特許文献１の図１を引用した図面）に示されるように、眼科用顕微鏡は、左眼用観察光学系の光軸と右眼用観察光学系の光軸をそれぞれ透過させる左右に対となるレンズ群１３０，１４０，１５０，１７０，１８０からなる観察光学系と、左眼用観察光学系の光軸と右眼用観察光学系の光軸が共通して透過する一つの対物レンズ１１０と、ＯＣＴ光学系２００，２５０，４５０，４６０，４７０と、照明光学系３１０，３２０，３３０を有している。ＯＣＴ光学系においては、ＯＣＴ光源２００からの出力光が、光ファイバ２５０を通過して出射され、２枚の走査鏡４５０，４６０により方向を制御された後、ビームコンバイナ３４０において照明光学系からの照明光と合流して、ビームスプリッタ１２０で反射され、被検眼１０００に入射している。
【０００６】
また、ガリレオ式の眼科用顕微鏡において、対物レンズの上部からＯＣＴ光源の光を出射させ、対物レンズを透過させて被検眼に入射させる方式がある（特許文献３）。
さらに、ガリレオ式の眼科用顕微鏡において、ＯＣＴ光学系の光路を、観察光学系の光路と略同軸に合流させて、対物レンズを透過させて被検眼に入射させる方式がある（特許文献４及び５）。
【０００７】
前記の方式はいずれも、観察光学系の光軸とＯＣＴ光学系の光軸とが、共通して一つの対物レンズを透過するものであった。
【０００８】
ガリレオ式の眼科用顕微鏡において、ＯＣＴ光学系の光軸が対物レンズを透過しない方式としては、対物レンズの側方から入射したＯＣＴ光源の光を、対物レンズの直下で反射部材により反射させて、対物レンズを透過させずに被検眼に入射させる方式がある（特許文献６）。
より詳細に説明すると、図２１（特許文献６のＦＩＧ．２Ａを引用した図面）に示されるように、観察光学系の光軸が透過する対物レンズ１０２の下部において、対物レンズの側方から入射したＯＣＴ光源の光をダイクロイックミラー４００で反射させて、被検眼にＯＣＴ光学系の光を入射させている。
この方式では、観察光学系の光路とＯＣＴ光学系の光路が、対物レンズの直下で同軸に合流するものであった。
【０００９】
また、ガリレオ式の眼科用顕微鏡と異なる方式としては、左右の観察光学系にそれぞれ対応する２つの対物レンズを有し、左右の観察光学系の間にステレオ角を持たせたグリノー式の眼科用顕微鏡がある（特許文献７及び８）。グリノー式の眼科用顕微鏡においては、左右の観察光学系の光軸が共通して透過する対物レンズが存在しないため、ＯＣＴ光学系の光路をその対物レンズを透過させることなく被検眼に入射させることができる。
しかしながら、グリノー式の眼科用顕微鏡では、左右の観察光学系を互いに傾斜させてステレオ角を持たせるため、複雑な光学設計が必要となるものであった。
【００１０】
尚、眼科用顕微鏡を用いて観察を行うにあたり、角膜や虹彩等の前眼部の観察と、網膜等の後眼部の観察とを切り替えるために前置レンズを使用する方法がある。この方法では、被検眼と対物レンズの間の光路上に前置レンズを挿入することで網膜等の後眼部の観察が可能となり、前置レンズを同光路上から脱離させることで角膜や虹彩等の前眼部の観察が可能となる（特許文献９）。
【先行技術文献】
【特許文献】
【００１１】
【特許文献１】特開平８−６６４２１号公報
【特許文献２】特開２００８−２６４４８８号公報
【特許文献３】特開２００８−２６８８５２号公報
【特許文献４】特表２０１０−５２２０５５号公報
【特許文献５】特開２００８−２６４４９０号公報
【特許文献６】米国特許第８３６６２７１号明細書
【特許文献７】特開２０１６−１８５１７７号公報
【特許文献８】特開２０１６−１８５１７８号公報
【特許文献９】特開２００３−０６２００３号公報
【発明の概要】
【発明が解決しようとする課題】
【００１２】
前記のとおり、ＯＣＴ光学系を備える従来の眼科用顕微鏡においては、ガリレオ式の眼科用顕微鏡とグリノー式の眼科用顕微鏡があるが、グリノー式の眼科用顕微鏡は複雑な光学設計が必要となるものであった。
また、従来のガリレオ式の眼科用顕微鏡においては、特許文献１〜５等に示されるように、観察光学系の光軸とＯＣＴ光学系の光軸とが、共通して一つの対物レンズを透過する方式が数多く開発されているが、観察光学系とＯＣＴ光学系とが独立していないため、ＯＣＴ光学系と観察光学系とが互いに影響を受けて、光学設計の自由度が制限されるものであった。
従来のガリレオ式の眼科用顕微鏡においては、特許文献６に示されるように、ＯＣＴ光学系の光軸が対物レンズを透過しない方式も開発されているが、観察光学系の光軸とＯＣＴ光学系の光軸が、対物レンズの直下で同軸に合流するものであるため、ＯＣＴの反射光又は散乱光を検出するためには、波長分離フィルタやビームスプリッタ等の波長分離のための光学部材を設ける必要があるという問題があった。また、対物レンズと被検眼の間にＯＣＴ光学系の光学部材を設けるため、眼科用顕微鏡から被検眼までの距離を十分に確保できなくなるという問題があった。
【００１３】
そこで、本発明は、前記従来の状況に鑑み、ＯＣＴ光学系を備えるガリレオ式の眼科用顕微鏡において、光学設計の自由度を高める新しい方式の眼科用顕微鏡を開発することを目的とする。
【課題を解決するための手段】
【００１４】
前記課題を解決するため、本願の発明者らは鋭意研究した結果、ガリレオ式の眼科用顕微鏡において、観察光学系の光軸が透過する対物レンズをＯＣＴ光学系の光軸が透過せず、観察光学系の光軸とＯＣＴ光学系の光軸とが非同軸となるように配置することにより、観察光学系とＯＣＴ光学系とが独立して、光学設計の自由度が高まることを見出した。ここで、前眼部の観察と後眼部の観察を切り替えるために前置レンズを使用する場合には、前置レンズの焦点距離（パワー）に応じて、ＯＣＴ走査面位置や観察焦点面位置が変化し、また、前置レンズの挿脱によりＯＣＴ光学系の測定光の光路長が変化して、測定光の光路長と参照光の光路長の差が変化してしまうが、これらの変化は、１）対物レンズと前置レンズの間の距離、２）ＯＣＴ用対物レンズと前置レンズの間の距離、３）ＯＣＴ光学系の参照光の光路の長さを、それぞれ変化させることで調整できることを見出し、本発明を完成するに到った。
【００１５】
すなわち、本発明は、眼科用顕微鏡に関する下記の発明を提供する。
（１）  被検眼を照明する照明光学系と、前記照明光学系で照明された前記被検眼を観察するための左眼用観察光学系と右眼用観察光学系を有する観察光学系と、前記観察光学系の前記左眼用観察光学系の光軸と前記右眼用観察光学系の光軸が共通して透過する対物レンズと、光コヒーレンストモグラフィにより前記被検眼を検査するための測定光の光路と参照光の光路を有するＯＣＴ光学系と、前記被検眼と前記対物レンズの間の光路上に挿脱可能な前置レンズとを有する眼科用顕微鏡において、
前記観察光学系の光軸が透過する前記対物レンズを前記ＯＣＴ光学系の光軸が透過せず、前記観察光学系の光軸と前記ＯＣＴ光学系の光軸とが非同軸となるように、前記観察光学系と、前記対物レンズと、前記ＯＣＴ光学系とが配置されており、
前記対物レンズとは別に、前記ＯＣＴ光学系の光軸が透過するＯＣＴ用対物レンズを有しており、
前記被検眼と前記対物レンズの間の光路上に前記前置レンズが挿入された時に、前記観察光学系の光軸と前記ＯＣＴ光学系の光軸とが前記前置レンズを透過し、
前記被検眼と前記対物レンズの間の光路上に挿入される前記前置レンズの焦点距離に応じて、次の１）又は２）の距離が自動的に変化し、
１）前記対物レンズと前記前置レンズの間の距離
２）前記ＯＣＴ用対物レンズと前記前置レンズの間の距離
前記被検眼と前記対物レンズの間の光路上で前記前置レンズが挿脱される時に、前記前置レンズの焦点距離に応じて、前記ＯＣＴ光学系の参照光の光路の長さが自動的に変化する眼科用顕微鏡。
（２）  本発明の眼科用顕微鏡においては、前記ＯＣＴ光学系が、
ＯＣＴ光源からの光を第１の光軸方向に導光する第１光学部材と、
前記第１の光軸方向に導光された光を前記第１の光軸方向に略直交する第２の光軸方向に導光する第１反射部材と、
前記第２の光軸方向に導光された光をリレーする第２光学部材と、
前記第２光学部材によりリレーされた光を前記第２の光軸方向に略直交する第３の光軸方向に導光する第２反射部材と
を有しており、
前記ＯＣＴ用対物レンズは、前記第３の光軸方向に導光された光を観察対象の所定箇所に照射できるように、前記第３の光軸上に配置されていることが好ましい。
（３）  前記いずれかの眼科用顕微鏡においては、前記被検眼と前記対物レンズの間の光路上に挿入される前記前置レンズの焦点距離に関する情報を取得するレンズ判別機構と、
前記対物レンズと前記前置レンズの間の距離及び／又は前記ＯＣＴ用対物レンズと前記前置レンズの間の距離を調整する位置調整機構と、
前記レンズ判別機構により取得される前記前置レンズの焦点距離に関する情報に基づき、位置調整機構を制御する制御機構とをさらに有することが好ましい。
（４）  前記いずれかの眼科用顕微鏡においては、前記対物レンズが、円形レンズの部分形状、又は円形レンズに切り欠きを設けた形状を有しており、
前記ＯＣＴ光学系の光軸が、前記対物レンズの存在しない部分、又は前記対物レンズに設けられた切り欠きを通過することが好ましい。
（５）  この場合には、円形レンズ又は円形レンズの部分からなるレンズを２つに分割し、
分割した一のレンズを、前記対物レンズとし、
分割した他の一のレンズを、前記ＯＣＴ用対物レンズとすることが好ましい。
【発明の効果】
【００１６】
本発明の眼科用顕微鏡は、観察光学系の光軸が透過する対物レンズをＯＣＴ光学系の光軸が透過せず、観察光学系の光軸とＯＣＴ光学系の光軸とが非同軸になっている。このような構成により、本発明の眼科用顕微鏡では、観察光学系とＯＣＴ光学系とが独立したものとなっている。このため、本発明の眼科用顕微鏡においては、観察光学系とＯＣＴ光学系とが互いに影響を受けることなく光学設計を行うことができるため、本発明の眼科用顕微鏡は、光学設計の自由度が高まるという効果を奏する。また、本発明よれば、前置レンズの焦点距離に応じて自動的な調整を行うため、前置レンズを挿脱する場合の面倒な光学調整の手間を軽減することができるという効果を奏する。
【図面の簡単な説明】
【００１７】
【図１】本発明の第１の実施形態の眼科用顕微鏡について、光学系の構成を側面から見たものとして模式的に示す図面である。
【図２】本発明の第１の実施形態の眼科用顕微鏡について、光学系の構成を正面から見たものとして模式的に示す図面である。
【図３】本発明の第１の実施形態の眼科用顕微鏡で用いられるＯＣＴユニットの光学構成を模式的に示す図面である。
【図４】本発明の第１の実施形態の眼科用顕微鏡に使用される対物レンズの形状を模式的に示す図面である。図４（Ａ）は、対物レンズの光軸の方向から見た図面であり、図４（Ｂ）は、側面から見た図面である。
【図５】本発明の第１の実施形態の眼科用顕微鏡において、前置レンズを被検眼と対物レンズの間の光路上に挿入した場合を模式的に示す図面である。図５（Ａ）は、前置レンズとしてパワー（屈折力）がＤであるレンズを光路上に挿入した場合を示し、図５（Ｂ）は、Ｄよりも大きなＤ´のパワー（屈折力）を有する前置レンズを光路上に挿入した場合を示す。
【図６】本発明の第１の実施形態の眼科用顕微鏡と、それを保持する位置決め装置を模式的に示す図面である。
【図７】本発明の第１の実施形態の眼科用顕微鏡の前置レンズ位置調整機構の周辺部分を模式的に示す図面である。
【図８】本発明の第１の実施形態の眼科用顕微鏡において、対物レンズと被検眼の間の光路上に前置レンズを挿入した場合と、前置レンズを脱離させた場合の光路長の違いを模式的に示す図面である。図８（Ａ）は、対物レンズと被検眼の間に前置レンズを挿入させずに、角膜や虹彩等の前眼部を観察する場合を示し、図８（Ｂ）は、対物レンズと被検眼の間に前置レンズを挿入して、眼底の網膜等の後眼部を観察する場合を示す。
【図９】本発明の第２の実施形態の眼科顕微鏡について、光学系の構成を側面からみたものとして模式的に示す図面である。
【図１０】本発明の第２の実施形態の眼科用顕微鏡について、光学系の構成を正面から見たものとして模式的に示す図面である。
【図１１】本発明の第２の実施形態の眼科用顕微鏡について、ＯＣＴ光学系の斜視図である。
【図１２】本発明の第２の実施形態の眼科用顕微鏡について、図１１に示したＯＣＴ光学系の平面図である。
【図１３】本発明の第２の実施形態の眼科用顕微鏡について、図１１に示したＯＣＴ光学系の側面図である。
【図１４】本発明の第２の実施形態の眼科用顕微鏡について、図１１に示したＯＣＴ光学系の正面図である。
【図１５】本発明の第３の実施形態の眼科用顕微鏡に使用される対物レンズの形状を模式的に示す図面である。図１５（Ａ）は、対物レンズの光軸の方向から見た図であり、図１５（Ｂ）は、側面から見た図である。
【図１６】本発明の第４の実施形態の眼科用顕微鏡に使用される対物レンズの形状を模式的に示す図面である。図１６（Ａ）は、対物レンズの光軸の方向から見た図であり、図１６（Ｂ）は、側面から見た図である。
【図１７】本発明の第５の実施形態の眼科用顕微鏡に使用される対物レンズの形状を模式的に示す図面である。図１７（Ａ）は、対物レンズの光軸の方向から見た図であり、図１７（Ｂ）は、側面から見た図である。
【図１８】本発明の第６の実施形態の眼科用顕微鏡に使用される対物レンズの形状を模式的に示す図面である。図１８（Ａ）は、対物レンズの光軸の方向から見た図であり、図１８（Ｂ）は、側面から見た図である。
【図１９】本発明の第８の実施形態の眼科用顕微鏡に使用される対物レンズとＯＣＴ用対物レンズの形状を模式的に示す図面である。図１９（Ａ）は、対物レンズの光軸の方向から見た図であり、図１９（Ｂ）は、側面から見た図である。
【図２０】特許文献１の図１を引用した図面である。
【図２１】特許文献６のＦＩＧ．２Ａを引用した図面である。
【発明を実施するための形態】
【００１８】
１．  本発明の眼科用顕微鏡の概要
本発明の眼科用顕微鏡は、被検眼を照明する照明光学系と、照明光学系で照明された被検眼を観察するための左眼用観察光学系と右眼用観察光学系を有する観察光学系と、観察光学系の左眼用観察光学系の光軸と右眼用観察光学系の光軸が共通して透過する対物レンズと、光コヒーレンストモグラフィにより被検眼を検査するための測定光の光路と参照光の光路を有するＯＣＴ光学系と、被検眼と対物レンズの間の光路上に挿脱可能な前置レンズとを有する眼科用顕微鏡に関するものである。
【００１９】
本発明の眼科用顕微鏡は、観察光学系の光軸が透過する対物レンズをＯＣＴ光学系の光軸が透過せず、観察光学系の光軸とＯＣＴ光学系の光軸とが非同軸となるように、観察光学系と、対物レンズと、ＯＣＴ光学系とが配置されている。このような構成により、本発明の眼科用顕微鏡では、観察光学系とＯＣＴ光学系とが独立したものとなっている。
このため、本発明の眼科用顕微鏡においては、観察光学系とＯＣＴ光学系とが互いに影響を受けることなく光学設計を行うことができるため、本発明の眼科用顕微鏡は、光学設計の自由度が高まるという効果を奏する。
本発明の眼科用顕微鏡においては、観察光学系の対物レンズの他に、ＯＣＴ光学系にもＯＣＴ用対物レンズを設けているため、それぞれの対物レンズを独立して位置制御すれば、観察光学系の焦点（観察焦点面）とＯＣＴ光学系の焦点（ＯＣＴ走査面）を、独立して調整することも可能となる。
また、本発明の眼科用顕微鏡では、観察光学系とＯＣＴ光学系とが独立したものとなっているため、例えば、これらに限定されるわけではないが、ＯＣＴ光学系を観察光学系と分離して、ＯＣＴ光学系を眼科用顕微鏡に着脱可能なユニットとする光学設計も可能となる。さらに、眼科用顕微鏡に一つだけでなく複数のＯＣＴ光学系を付け加えて、より詳細に三次元の断層像を得ることができる光学設計も可能となる。
【００２０】
本発明において「眼科用顕微鏡」とは、被検眼を拡大して観察することができる医療用又は検査用の機器をいい、ヒト用のみならず動物用のものも含む。「眼科用顕微鏡」には、これらに限定されるわけではないが、例えば、眼底カメラ、スリットランプ、眼科手術用顕微鏡等が含まれる。
【００２１】
本発明において、「照明光学系」とは、被検眼を照明するための光学素子を含んで構成されるものである。照明光学系には、さらに光源を含ませることができるが、自然光を被検眼に導くものであってもよい。
また、本発明において、「観察光学系」とは、照明光学系によって照明された被検眼から反射・散乱された戻り光により、被検眼を観察することを可能とする光学素子を含んで構成されるものである。本発明において、観察光学系は、左眼用観察光学系と右眼用観察光学系を有しており、左右の観察光学系により得られる像に視差を生じさせた場合には、双眼視により立体的に観察することも可能となる。
また、本発明の「観察光学系」は、アイピースや接眼レンズ等を通じて観察者の肉眼により被検眼を観察できるものであってもよく、また、撮像素子等により受光して画像化することにより観察できるものであってもよく、あるいは、両方の機能を備えるものであってもよい。
【００２２】
本発明において、「ＯＣＴ光学系」とは、ＯＣＴの測定光と参照光を経由させる光学素子を含んで構成されるものである。ＯＣＴ光学系には、さらにＯＣＴ光源を含ませることができる。
本発明において、「照明光学系」、「観察光学系」、「ＯＣＴ光学系」に使用される光学素子としては、これらに限定されるわけではないが、例えば、レンズ、プリズム、ミラー、光フィルタ、絞り、回折格子、偏光素子等を用いることができる。
【００２３】
本発明において、「対物レンズ」とは、眼科用顕微鏡において、被検眼の側に設けられたレンズをいう。対物レンズと被検眼の間に一時的に挿入して使用する前置レンズ（ルーペ）は、本発明でいう「対物レンズ」には含まれない。
本発明において、観察光学系の光軸とＯＣＴ光学系の光軸とが「非同軸となる」とは、光軸の方向が同一ではないことをいう。
【００２４】
本発明の眼科用顕微鏡においては、被検眼と対物レンズの間の光路上に前置レンズが挿入された場合に、観察光学系の光軸とＯＣＴ光学系の光軸が前置レンズを透過することから、前置レンズの焦点距離（パワー）に応じて、ＯＣＴ走査面位置や観察焦点面位置が変化する。
しかしながら、本発明の眼科用顕微鏡においては、被検眼と対物レンズの間の光路上に挿入される前置レンズの焦点距離に応じて、次の１）又は２）の距離が自動的に変化する。
１）対物レンズと前置レンズの間の距離
２）ＯＣＴ用対物レンズと前置レンズの間の距離
このため、本発明の眼科用顕微鏡では、ＯＣＴ走査面位置や観察焦点面位置を観察対象に合わせるための手動による面倒な調整を軽減することができる。
【００２５】
ここで、対物レンズと前置レンズの間の距離を変化させるためには、眼科用顕微鏡本体に対して、対物レンズと前置レンズの双方又はいずれかを移動させればよく、また、ＯＣＴ用対物レンズと前置レンズの間の距離を移動させるためには、眼科用顕微鏡本体に対して、ＯＣＴ用対物レンズと前置レンズの双方又はいずれかを移動させればよい。好ましくは、顕微鏡本体に対して前置レンズを移動させることにより、対物レンズに対する距離とＯＣＴ用対物レンズに対する距離の双方を変化させることができる。
【００２６】
また、本発明の眼科用顕微鏡においては、被検眼と対物レンズの間の光路上で前置レンズが挿脱されると、ＯＣＴ光学系の測定光の光路長が変化して、測定光の光路長と参照光の光路長の差が変化してしまい、正しく干渉させることができない。
しかしながら、本発明の眼科用顕微鏡においては、被検眼と対物レンズの間の光路上で前置レンズが挿脱される時に、前置レンズの焦点距離に応じて、ＯＣＴ光学系の参照光の光路の長さが自動的に変化する。
このため、本発明の眼科用顕微鏡では、ＯＣＴによる断層像を正しく得ることができる。
【００２７】
ここで、「前置レンズが挿脱される」とは、被検眼と対物レンズの間の光路上に一つの種類の前置レンズが挿入され、離脱することのみならず、光路上の前置レンズが他の種類の前置レンズに置き換わることを含む。
ＯＣＴ光学系の参照光の光路の長さを変化させるためには、光学素子を用いることができ、例えば、これらに限定されるわけではないが、参照光の光路の折り返し点にあるミラーを移動させることにより光路長を変化させることができ、また、参照光の光路上で光路長補正部材を挿脱して、当該部材と大気との屈折率の違いにより光路長を変化させることもできる。
【００２８】
本発明において「自動的に変化する」とは、手動によらず、機械的及び／又は電気的な機構により、前記１）若しくは２）の距離、又はＯＣＴ光学系の参照光の光路の長さが変化することをいう。
【００２９】
２．  第１の実施形態
以下、本発明の実施形態の例を、図面を参照しながら詳細に説明する。
図１〜８は、本発明の眼科用顕微鏡の一例である第１の実施形態を模式的に示す図面である。これらの図面のうち、図１は、第１の実施形態の眼科用顕微鏡の光学系の構成を、側面から見たものとして示す模式図であり、図２は、正面から見たものとして示す模式図である。また、図３は、ＯＣＴユニットの光学構成を模式的に示す図面であり、図４は、対物レンズの形状を模式的に示す図面である。
【００３０】
図１に示されるように、眼科用顕微鏡１の光学系は、対物レンズ２と、照明光学系３００と、観察光学系４００と、ＯＣＴ光学系５００を有している。
対物レンズ２と、照明光学系３００と、観察光学系４００は、眼科用顕微鏡本体６に収納されている。一方、ＯＣＴ光学系５００は、機能拡張ユニット７に収納されている。図１においては、眼科用顕微鏡本体６と機能拡張ユニット７を、それぞれ一点鎖線により示す。
眼科用顕微鏡本体６と機能拡張ユニット７とは、図示しないジョイント部により、着脱可能に連結されている。
【００３１】
図１に示されるように、照明光学系３００は、対物レンズ２を介して、被検眼８を照明する。照明光学系３００は、照明光源９、光ファイバ３０１、出射口絞り３０２、コンデンサレンズ３０３、照明野絞り３０４、コリメートレンズ３０５、及び反射ミラー３０６を含んで構成されている。照明光学系３００の光軸を、図１において点線Ｏ−３００で示す。
【００３２】
照明光源９は、眼科用顕微鏡本体６の外部に設けられている。照明光源９には光ファイバ３０１の一端が接続されている。光ファイバの他端は、眼科用顕微鏡本体６の内部のコンデンサレンズ３０３に臨む位置に配置されている。照明光源９から出力された照明光は、光ファイバ３０１により導光されてコンデンサレンズ３０３に入射する。
光ファイバ３０１の出射口（コンデンサレンズ３０３側のファイバ端）に臨む位置には、出射口絞り３０２が設けられている。出射口絞り３０２は、光ファイバ３０１の出射口の一部領域を遮断するように作用する。出射口絞り３０２による遮断領域が変更されると、照明光の出射領域が変更される。それにより、照明光による照射角度、つまり被検眼８に対する照明光の入射方向と対物レンズ２の光軸とがなす角度を変更することができる。
【００３３】
照明野絞り３０４は、対物レンズ２の前側焦点位置Ｕ０と光学的に共役な位置（×の位置）に設けられている。コリメートレンズ３０５は、照明野絞り３０４を通過した照明光を平行光束にする。反射ミラー３０６は、コリメートレンズ３０５によって平行光束にされた照明光を対物レンズ２に向けて反射する。反射された光は、対物レンズ２を透過して、被検眼８に照射される。
被検眼８に照射された照明光（の一部）は、角膜や網膜等の被検眼の組織で反射・散乱される。その反射・散乱した戻り光（「観察光」とも呼ばれる）は、対物レンズ２を透過して、観察光学系４００に入射する。
【００３４】
図１に示されるように、観察光学系４００は、変倍レンズ系４０１、ビームスプリッタ４０２、結像レンズ４０３、像正立プリズム４０４、眼幅調整プリズム４０５、視野絞り４０６、及び接眼レンズ４０７を含んで構成されている。観察光学系４００の光軸を、図１において点線Ｏ−４００で示す。
観察光学系４００は、照明光学系３００により照明されている被検眼８を、対物レンズ２を介して観察するために用いられる。
【００３５】
図１に示されるように、ＯＣＴ光学系５００は、ＯＣＴユニット１０、光ファイバ５０１、コリメートレンズ５０２、照明野絞り５０９、光スキャナ５０３ａ，５０３ｂ、リレー光学系５０４、第１レンズ群５０５、第２レンズ群５０６、及びＯＣＴ用対物レンズ５０７を含んで構成されている。
ＯＣＴ光学系５００の光軸を、図１において点線Ｏ−５００で示す。
図１に示されるように、第１の実施形態においては、ＯＣＴ光学系の光軸Ｏ−５００が対物レンズ２を透過しておらず、観察光学系の光軸Ｏ−４００とＯＣＴ光学系の光軸Ｏ−５００とが非同軸となっており、これによりＯＣＴ光学系と観察光学系とが独立したものとなっている。
【００３６】
ＯＣＴユニット１０は、コヒーレンスが低い（可干渉距離が短い）ＯＣＴ光源からの光を測定光と参照光に分割する。測定光はＯＣＴ光学系５００により導かれて被検眼８に照射され、被検眼の組織において反射・散乱し、それが戻り光となってＯＣＴユニット１０に導かれる。ＯＣＴユニット１０では、測定光の戻り光と参照光との干渉を検出する。これにより、被検眼の組織の断層像を得ることができる。
【００３７】
図１に示されるように、ＯＣＴユニット１０は、機能拡張ユニット７の外部に設けられているが、光ファイバ５０１の一端が接続されており、これにより機能拡張ユニット７と連結している。ＯＣＴユニット１０により生成された測定光は、光ファイバ５０１の他端から出射する。出射した測定光は、コリメートレンズ５０２、照明野絞り５０９、光スキャナ５０３ａ，５０３ｂ、リレー光学系５０４、第１レンズ群５０５、第２レンズ群５０６、ＯＣＴ用対物レンズ５０７等を経由して被検眼８に照射され、被検眼８の組織で反射・散乱した測定光の戻り光は、同じ経路を逆向きに進行して光ファイバ５０１の他端に入射する。
【００３８】
眼底の網膜等の後眼部を観察するときは、図示しない移動手段により、前置レンズ１４が被検眼の眼前の光軸Ｏ−３００、Ｏ−４００、Ｏ−５００上に挿入される。この場合には、対物レンズ２の前側焦点位置Ｕ０は、眼底の網膜等と共役となる。
また、角膜、虹彩等の前眼部を観察するときには、前置レンズを被検眼の眼前から脱離させて観察を行う。
【００３９】
図１に示されるように、コリメートレンズ５０２は、光ファイバ５０１の他端から出射した測定光を平行光束にする。コリメートレンズ５０２と光ファイバ５０１の他端とは測定光の光軸に沿って相対的に移動可能に構成されている。第１の実施形態では、コリメートレンズ５０２が移動可能に構成されているが、光ファイバ５０１の他端が測定光の光軸に沿って移動可能に構成されていてもよい。
照明野絞り５０９は、ＯＣＴ用対物レンズ５０７の前側焦点位置Ｕ０と共役である。
【００４０】
ＯＣＴ光学系における光スキャナ５０３ａ，５０３ｂは、コリメートレンズ５０２により平行光束とされた測定光を２次元的に偏向する。光スキャナ５０３ａ，５０３ｂには、互いに交差する２軸のそれぞれの軸を中心に回動可能に構成された偏向部材が用いられる。偏向部材の例として、ガルバノミラー、ポリゴンミラー、回転ミラー、ＭＥＭＳ（Micro Electro Mechanical Systems）ミラー等がある。第１の実施形態では、光スキャナ５０３ａ，５０３ｂは、ガルバノミラーを含んで構成されている。すなわち、光スキャナは、第１軸を中心に回動可能な偏向面を有する第１スキャナ５０３ａと、第１軸に直交する第２軸を中心に回動可能な偏向面を有する第２スキャナ５０３ｂを含む。第１スキャナ５０３ａと第２スキャナ５０３ｂとの間には、リレー光学系５０４が設けられている。
【００４１】
第１レンズ群５０５は、１以上のレンズを含んで構成される。第２レンズ群５０６も、１以上のレンズを含んで構成される。
さらに、被検眼８に接する側には、ＯＣＴ用対物レンズ５０７が設けられている。
ＯＣＴ用対物レンズは、光軸に沿って移動可能に構成されており、ＯＣＴ用対物レンズの位置を制御することにより、ＯＣＴ光学系の焦点（ＯＣＴ走査面）を調整することができる。これにより、ＯＣＴ光学系の焦点（ＯＣＴ走査面）を観察光学系の焦点（観察焦点面）とは異なる位置に調整することが可能となる。
【００４２】
このように、第１の実施形態の眼科用顕微鏡では、ＯＣＴ光学系の光軸Ｏ−５００が対物レンズ２を透過しておらず、観察光学系の光軸Ｏ−４００とＯＣＴ光学系の光軸Ｏ−５００とが非同軸となっていることにより、観察光学系とＯＣＴ光学系とが独立したものとなっている。
このため、第１の実施形態の眼科用顕微鏡では、観察光学系とＯＣＴ光学系を独立して制御することが可能であり、また、ＯＣＴ光学系を眼科用顕微鏡に対して着脱可能なユニットとすることも可能である。
【００４３】
第１の実施形態の眼科用顕微鏡について、さらに図面を参照して詳細に説明する。
図２は、第１の実施形態の眼科用顕微鏡の光学系の構成を、正面から見たものとして示す模式図である。
図２に示されるように、観察光学系は、観察者の左眼用の観察光学系４００Ｌと右眼用の観察光学系４００Ｒに分かれており、それぞれに観察光路を有している。左右の観察光学系の光軸を、図２においてそれぞれ点線Ｏ−４００Ｌ，Ｏ−４００Ｒで示す。
【００４４】
図２に示されるように、左右の観察光学系４００Ｌ，４００Ｒは、それぞれ、変倍レンズ系４０１、結像レンズ４０３、像正立プリズム４０４、眼幅調整プリズム４０５、視野絞り４０６、及び接眼レンズ４０７を含んで構成されている。ビームスプリッタ４０２は、右眼用の観察光学系４００Ｒのみが有している。
変倍レンズ系４０１は、複数のズームレンズ４０１ａ，４０１ｂ，４０１ｃを含んで構成されている。各ズームレンズ４０１ａ，４０１ｂ，４０１ｃは、図示しない変倍機構によって左右の観察光学系の光軸Ｏ−４００Ｌ，Ｏ−４００Ｒに沿って移動可能となっている。これにより、被検眼８を観察又は撮影する際の拡大倍率が変更される。
【００４５】
図２に示されるように、右眼用の観察光学系４００Ｒのビームスプリッタ４０２は、被検眼８から右眼用観察光学系に沿って導光された観察光の一部を分離して撮影光学系に導く。撮影光学系は、結像レンズ１１０１、反射ミラー１１０２、及びテレビカメラ１１０３を含んで構成されている。
テレビカメラ１１０３は、撮像素子１１０３ａを備えている。撮像素子１１０３ａは、例えば、ＣＣＤ（Charge Coupled Devices）イメージセンサや、ＣＭＯＳ（Complementary Metal Oxide Semiconductor）イメージセンサ等によって構成される。撮像素子１１０３ａとしては２次元の受光面を有するもの（エリアセンサ）が用いられる。
眼科用顕微鏡１の使用時には、撮像素子１１０３ａの受光面は、例えば、被検眼８の角膜若しくは網膜の表面と光学的に共役な位置に配置される。
【００４６】
像正立プリズム４０４は、倒像を正立像に変換する。眼幅調整プリズム４０５は、観察者の眼幅（左眼と右眼の間の距離）に応じて左右の観察光路の間の距離を調整するための光学素子である。視野絞り４０６は、観察光の断面における周辺領域を遮断して観察者の視野を制限するものである。視野絞り４０６は、対物レンズ２の前側焦点位置Ｕ０と共役な位置（×の位置）に設けられている。
観察光学系４００Ｌ，４００Ｒは、観察光学系の光路から挿脱可能に構成されたステレオバリエータを含んで構成されてもよい。ステレオバリエータは、左右の変倍レンズ系４０１によってそれぞれ案内される左右の観察光学系の光軸Ｏ−４００Ｌ，Ｏ−４００Ｒの相対的位置を変更するための光軸位置変更素子である。ステレオバリエータは、例えば、観察光路に対して観察者側に設けられた退避位置に退避される。
【００４７】
第１の実施形態の眼科用顕微鏡においては、主となる観察者が使用する観察光学系の他に、助手となる観察者が使用するための副観察光学系４００Ｓが設けられている。
図２に示されるように、副観察光学系４００Ｓは、照明光学系により照明されている被検眼８で反射・散乱した戻り光（観察光）を、対物レンズ２を経由して助手用接眼レンズ４１１に導く。副観察光学系の光軸を、図２において点線Ｏ−４００Ｓで示す。
副観察光学系４００Ｓにも左右一対の光学系が設けられており、双眼による立体観察が可能である。
【００４８】
図２に示されるように、副観察光学系４００Ｓは、プリズム４０８、反射ミラー４１０、及び助手用接眼レンズ４１１を含んで構成される。第１の実施形態においては、プリズム４０８と反射ミラー４１０との間に、さらに結像レンズ４０９も配置されている。被検眼８からの観察光は、対物レンズ２を透過し、プリズム４０８の反射面４０８ａにより反射される。反射面４０８ａにより反射された観察光は、結像レンズ４０９を透過し、反射ミラー４１０により反射され、助手用接眼レンズ４１１に導かれる。
観察光学系４００Ｌ，４００Ｒと副観察光学系４００Ｓは、眼科用顕微鏡本体６に収納されている。
【００４９】
眼底の網膜等の後眼部を観察するときは、図示しない移動手段により、前置レンズ１４が被検眼の眼前の光軸Ｏ−３００、Ｏ−４００、Ｏ−５００上に挿入される。この場合には、対物レンズ２の前側焦点位置Ｕ０は、眼底の網膜等と共役となる。
また、角膜、虹彩等の前眼部を観察するときには、前置レンズを被検眼の眼前から脱離させて観察を行う。
【００５０】
図３は、第１の実施形態の眼科用顕微鏡で用いられるＯＣＴユニット１０の光学構成を模式的に示す図面である。
図３に示されるように、ＯＣＴユニット１０は、ＯＣＴ光源ユニット１００１から出射された光を測定光ＬＳと参照光ＬＲに分割し、別の光路を経た測定光ＬＳと参照光ＬＲの干渉を検出する干渉計を構成している。
ＯＣＴ光源ユニット１００１は、一般的なスウェプトソースタイプのＯＣＴ装置と同様に、出射光の波長を走査（掃引）可能な波長走査型（波長掃引型）光源を含んで構成される。ＯＣＴ光源ユニット１００１は、人の眼では視認できない近赤外の波長において、出力波長を時間的に変化させる。ＯＣＴ光源ユニット１００１から出力された光を符号Ｌ０で示す。
【００５１】
ＯＣＴ光源ユニット１００１から出力された光Ｌ０は、光ファイバ１００２により偏波コントローラ１００３に導かれてその偏光状態が調整される。偏波コントローラ１００３は、たとえばループ状にされた光ファイバ１００２に対して外部から応力を与えることで、光ファイバ１００２内を導かれる光Ｌ０の偏光状態を調整する。
偏波コントローラ１００３により偏光状態が調整された光Ｌ０は、光ファイバ１００４によりファイバカプラ１００５に導かれて測定光ＬＳと参照光ＬＲとに分割される。
【００５２】
図３に示されるように、参照光ＬＲは、光ファイバ１００６によりコリメータ１００７に導かれて平行光束となる。平行光束となった参照光ＬＲは、光路長補正部材１００８及び分散補償部材１００９を経由し、コーナーキューブ１０１０に導かれる。光路長補正部材１００８は、参照光ＬＲと測定光ＬＳの光路長（光学距離）を合わせるための遅延手段として作用する。分散補償部材１００９は、参照光ＬＲと測定光ＬＳの分散特性を合わせるための分散補償手段として作用する。
コーナーキューブ１０１０は、コリメータ１００７により平行光束となった参照光ＬＲの進行方向を逆方向に折り返す。コーナーキューブ１０１０に入射する参照光ＬＲの光路と、コーナーキューブ１０１０から出射する参照光ＬＲの光路とは平行である。また、コーナーキューブ１０１０は、参照光ＬＲの入射光路及び出射光路に沿う方向に移動可能とされている。この移動により参照光ＬＲの光路（参照光路）の長さが変更される。
【００５３】
図３に示されるように、コーナーキューブ１０１０を経由した参照光ＬＲは、分散補償部材１００９及び光路長補正部材１００８を経由し、コリメータ１０１１によって平行光束から集束光束に変換されて光ファイバ１０１２に入射し、偏波コントローラ１０１３に導かれて参照光ＬＲの偏光状態が調整される。
偏波コントローラ１０１３は、例えば、偏波コントローラ１００３と同様の構成を有する。偏波コントローラ１０１３により偏光状態が調整された参照光ＬＲは、光ファイバ１０１４によりアッテネータ１０１５に導かれて、制御ユニット１２の制御の下で光量が調整される。アッテネータ１０１５により光量が調整された参照光ＬＲは、光ファイバ１０１６によりファイバカプラ１０１７に導かれる。
【００５４】
図１と図３から把握できるように、ファイバカプラ１００５により生成された測定光ＬＳは、光ファイバ５０１によりコリメートレンズ５０２に導かれる。図１に示されるように、コリメートレンズ５０２に入射した測定光は、光スキャナ５０３ａ，５０３ｂ、リレー光学系５０４、第１レンズ群５０５、第２レンズ群５０６、及びＯＣＴ用対物レンズ５０７を経由して、被検眼８に照射される。測定光は、被検眼８の様々な深さ位置において反射・散乱される。被検眼８により測定光の後方散乱光は、往路と同じ経路を逆向きに進行して、図３に示されるように、ファイバカプラ１００５に導かれ、光ファイバ１０１８を経由してファイバカプラ１０１７に到達する。
【００５５】
ファイバカプラ１０１７は、光ファイバ１０１８を介して入射された測定光ＬＳと、光ファイバ１０１６を介して入射された参照光ＬＲとを合成して（干渉させて）干渉光を生成する。ファイバカプラ１０１７は、所定の分岐比（例えば５０：５０）で、測定光ＬＳと参照光ＬＲとの干渉光を分岐することにより、一対の干渉光ＬＣを生成する。ファイバカプラ１０１７から出射した一対の干渉光ＬＣは、それぞれ２つの光ファイバ１０１９，１０２０により検出器１０２１に導かれる。
【００５６】
検出器１０２１は、例えば一対の干渉光ＬＣをそれぞれ検出する一対のフォトディテクタを有し、これらにより検出結果の差分を出力するバランスドフォトダイオード（Balanced Photo Diode：以下、「ＢＰＤ」という）である。検出器１０２１は、その検出結果（検出信号）を制御ユニット１２に送る。制御ユニット１２は、例えば、一連の波長走査毎に（Ａライン毎に）、検出器１０２１により得られた検出結果に基づくスペクトル分布にフーリエ変換等を施すことで断面像を形成する。制御ユニット１２は、形成された画像を表示部１３に表示させる。
【００５７】
この実施形態では、マイケルソン型の干渉計を採用しているが、例えば、マッハツェンダー型等の任意のタイプの干渉計を適宜に採用することが可能である。
【００５８】
図４は、第１の実施形態の眼科用顕微鏡に使用される対物レンズの形状を、示す模式図である。図４（Ａ）は、対物レンズの光軸の方向から見た図であり、図４（Ｂ）は、側面から見た図である。
図４（Ａ）に示されるように、対物レンズ２の平面形状は円形である。そして、第１の実施形態の顕微鏡においては、左眼用観察光学系の光路Ｐ−４００Ｌ、右眼用観察光学系の光路Ｐ−４００Ｒ、及び照明光学系の光路Ｐ−３００が、それぞれ対物レンズ２の異なる箇所を透過している。また、図示しないが、副観察光学系の光路が、左眼用観察光学系の光路Ｐ−４００Ｌの近傍を透過している。
次に、図４（Ｂ）に示されるように、対物レンズ２の側面形状は凸状であり、凸レンズとなっている。
【００５９】
図１及び図３を用いて説明したように、眼底の網膜等の後眼部を観察するときには、被検眼と対物レンズの間の光路上に前置レンズを挿入し、角膜、虹彩等の前眼部を観察するときには、前置レンズを光路上から脱離させる。
図５は、本発明の第１の実施形態の眼科用顕微鏡において、前置レンズを被検眼と対物レンズの間の光路上に挿入した場合を示す模式図である。図５に示されるように、対物レンズ２の焦点距離はＦ１であり、対物レンズからＦ１の距離にある位置が対物レンズの前側焦点位置Ｕ０となる。照明光学系からの光束は、対物レンズ２と前置レンズ１４を透過して、被検眼８の内部を照明する。被検眼内の網膜８ａで反射された反射光は、前置レンズ１４の後側焦点位置で像を形成する。前置レンズ１４の後側焦点位置を、対物レンズ２の前側焦点位置であるＵ０に一致させることにより、観察光学系の焦点（観察焦点面）が網膜８ａに合わされて、ピントの合った状態で網膜を観察することができる。
【００６０】
ここで、前置レンズ１４としてパワー（屈折力）がＤであるレンズを光路上に挿入した場合を図５（Ａ）に示し、Ｄよりも大きなＤ´のパワー（屈折力）を有する前置レンズ１４´を光路上に挿入した場合を図５（Ｂ）に示す。前置レンズ１４，１４´の焦点距離は、レンズのパワー（屈折力）の逆数から求めることができるから、図５（Ａ）における前置レンズの焦点距離Ｆ２よりも、図５（Ｂ）における前置レンズの焦点距離Ｆ２´の方が短くなる。図５（Ａ）と図５（Ｂ）を比較すれば明らかなように、対物レンズ２と前置レンズ１４，１４´の間の距離Ｈ１，Ｈ１´は、焦点距離の長い（パワーの小さい）前置レンズ１４を用いた図５（Ａ）の場合の方が、図５（Ｂ）の場合よりも長くする必要がある。また、対物レンズ２と被検眼８の間の距離Ｈ２，Ｈ２´も、焦点距離の長い（パワーの小さい）前置レンズ１４を用いた図５（Ａ）の場合の方が、図５（Ｂ）の場合よりも長くする必要がある。
【００６１】
以上のような図５（Ａ）と図５（Ｂ）の比較からも明らかなように、観察光学系の焦点（観察焦点面）を網膜に合わせるためには、前置レンズの焦点距離（パワー）に応じて、対物レンズと被検眼の間の距離を変更し、また、対物レンズと前置レンズの間の距離を変更する必要がある。
【００６２】
これは、観察光学系の焦点のみならず、ＯＣＴ光学系の焦点についても同じことがいえる。すなわち、図５における対物レンズ２をＯＣＴ用対物レンズ５０７に置き換えると、前置レンズ１４の後側焦点位置を、ＯＣＴ用対物レンズ５０７の前側焦点位置であるＵ０に一致させることにより、ＯＣＴ光学系の焦点（ＯＣＴ走査面）が網膜８ａに合わされて、焦点の合った状態で網膜をスキャンし断層像を得ることができる。
ここで、図５（Ａ）及び図５（Ｂ）の比較から明らかなように、ＯＣＴ用対物レンズ５０７と前置レンズ１４，１４´の間の距離Ｈ１，Ｈ１´は、焦点距離の長い（パワーの小さい）前置レンズ１４を用いた図５（Ａ）の場合の方が、図５（Ｂ）の場合よりも長くする必要がある。また、ＯＣＴ用対物レンズ５０７と被検眼８の間の距離Ｈ２，Ｈ２´も、焦点距離の長い（パワーの小さい）前置レンズ１４を用いた図５（Ａ）の場合の方が、図５（Ｂ）の場合よりも長くする必要がある。
したがって、ＯＣＴ光学系の焦点（ＯＣＴ走査面）を網膜に合わせるためには、前置レンズの焦点距離（パワー）に応じて、ＯＣＴ用対物レンズと被検眼の間の距離を変更し、また、ＯＣＴ用対物レンズと前置レンズの間の距離を変更する必要がある。
【００６３】
対物レンズと被検眼との間の距離を変更するには、眼科用顕微鏡を位置決め装置により保持し、上下に移動させることで変更することが可能である。図６は、本発明の第１の実施形態の眼科用顕微鏡と、それを保持する位置決め装置を示す模式図である。図６に示されるように、位置決め装置は、支柱１５、アーム１６、Ｘ−Ｙ微動装置１７等を含み、これらにより眼科用顕微鏡を保持している。位置決め装置に保持された眼科用顕微鏡の３次元位置は、手動により又は位置決め装置に内在するアクチュエータにより移動させることができ、また、移動しないように位置決め装置に内在する電磁ロック等で固定することができる。これらのアクチュエータや電磁ロックは眼科用顕微鏡の制御ユニットによって制御されている。
眼科用顕微鏡は、被検眼８を手術する眼科の執刀医が使用する術者用顕微鏡１８と、その手術助手が使用する助手用顕微鏡１９を有しており、両者が被検眼を観察しながら手術できるようになっている。眼科用顕微鏡の３次元位置は、フットスイッチ２１でも操作できるようになっており、執刀医は、手術器具を両手に持ちながら、眼科用顕微鏡の位置を足による操作で調整することが可能である。眼科用顕微鏡の鏡筒２２の下端には、対物レンズ２が設けられている。また、対物レンズ２と被検眼８の間には、保持アーム２３により前置レンズ１４を挿入することができる。
【００６４】
対物レンズ２と被検眼８との間の距離は、位置決め装置によって眼科用顕微鏡を上下に移動させることにより、変更することができる。
また、図６において対物レンズ２よりも奥側にある図示しないＯＣＴ用対物レンズについても、位置決め装置により眼科用顕微鏡を上下に移動させることにより、被検眼８との間の距離を変更することができる。
【００６５】
例えば、図５（Ｂ）に示されるパワーがＤ´である前置レンズ１４´を光路上に挿入した状態から、前置レンズを挿脱して、図５（Ａ）に示されるパワーがＤである前置レンズ１４に置き換えた場合には、眼科用顕微鏡を上方向に移動させて、対物レンズ２と被検眼８との間の距離を、Ｈ２´からＨ２に変化させればよい。
この場合、眼科用顕微鏡の上方向への移動にあわせて、前置レンズ１４も同じ距離だけ上方向に移動するため、対物レンズ２と前置レンズ１４との間の距離は、Ｈ１´のままである。そこで、対物レンズ２に対して前置レンズ１４を下方向に移動させて、対物レンズ２と前置レンズ１４との間の距離をＨ１とする必要がある。
【００６６】
図６に示されるように、対物レンズ２と前置レンズ１４との間の距離は、前置レンズ位置調整機構２０により変更することができる。
前置レンズ位置調整機構について、以下、図７を用いて説明する。
【００６７】
図７は、本発明の第１の実施形態の眼科用顕微鏡における前置レンズ位置調整機構の周辺部分を示す模式図である。図７に示されるように、眼科用顕微鏡の鏡筒２２の下端には、対物レンズ２が設けられている。そして、対物レンズ２と被検眼の間の光路には、保持アーム２３により前置レンズ１４を挿入することができる。前置レンズ１４は、保持アーム２３の先端に設けられた保持板２４に着脱可能であり、パワーの異なる様々な種類の前置レンズ１４を取り替えて使用することができる。前置レンズ１４にはタグが付けられており、タグ検出器２５でその情報が読み取られて制御ユニットに伝えられると、制御ユニットは、前置レンズ１４の種類を判別することができる。
制御ユニットは、前置レンズ１４の種類を判別するとともに、前置レンズの種類に応じた焦点距離に関する情報を記憶した記憶媒体の情報を参照して、光路に挿入される前置レンズ１４の焦点距離に関する情報を取得する。制御ユニットは、取得した情報に基づいて、観察対象に焦点を合わせるための対物レンズ２と前置レンズ１４の間の距離を算出し、前置レンズ位置調整機構２０を制御して、前置レンズ１４の位置を調整する。
【００６８】
図７に示されるように、前置レンズ位置調整機構２０は、支持ブラケット２００１を有しており、支持ブラケット２００１に設けられたねじ穴を貫通して、上下方向に延びる回動ネジ２００２が嵌められている。回動ネジ２００２には、可動板２００３が結合しており、可動板２００３と保持アーム２３とは、連結アーム２００４により連結されている。
回動ネジ２００２は、微動調整ノブ２００５をつまんで手動で回転させることができ、これにより、可動板２００３を上下に移動させることができる。そして、可動板２００３の上下の動きと連動して、連結アーム２００４と保持アーム２３を介して可動板２００３と連結した前置レンズ１４を上下に移動させることが可能となる。
【００６９】
回動ネジ２００２は、制御ユニットによって回転を制御されるモータ２００６によっても回転させることができ、これにより、前置レンズ１４を自動制御で上下に移動させることが可能である。
制御ユニットは、前置レンズ１４の種類を判別して、前置レンズ１４の焦点距離（パワー）に基づいて、観察対象に焦点を合わせるための対物レンズ２と前置レンズ１４の間の距離を算出する。そして、制御ユニットは、対物レンズ２と前置レンズ１４の間の距離が算出した距離となるように、前置レンズ位置調整機構２０を制御して前置レンズ１４の位置を自動的に調整することができる。
【００７０】
例えば、図５（Ｂ）に示されるパワーがＤ´である前置レンズ１４´を図５（Ａ）に示されるパワーがＤである前置レンズ１４に交換した場合には、制御ユニットが、前置レンズ１４の種類を判別して、前置レンズ位置調整機構を制御して、対物レンズ２と前置レンズ１４の間の距離がＨ１となるように自動的に変更する。
その後、図６に示される位置決め装置を用いて、執刀医又は手術助手は、手動により又はフットスイッチ２１等を操作することにより、眼科用顕微鏡の位置を上方向に移動させる。このとき、執刀医又は手術助手は、顕微鏡観察をしながら眼底にピントが合うまで、眼科用顕微鏡の位置を上方向に移動させる。そして、ピントが合った位置で、対物レンズ２と被検眼８との間の距離は図５（Ａ）に示すＨ２となる。
このように、対物レンズと前置レンズの間の距離を自動的に変更した後に、顕微鏡観察でピントが合うまで眼科用顕微鏡を上方方向に移動させることもできるが、自動制御でピントを合わせることもできる。例えば、眼科用顕微鏡の制御ユニットが、前置レンズ１４の焦点距離（パワー）に応じて、観察対象にピントを合わせるための図５（Ａ）に示す対物レンズ２と被検眼８の間の距離Ｈ２を算出し、図６に示す位置決め装置のアクチュエータを制御して、自動で眼科用顕微鏡を上方向へ移動させることもできる。
【００７１】
図７において対物レンズ２よりも奥側にある図示しないＯＣＴ用対物レンズと、前置レンズ１４との間の距離についても、前置レンズ位置調整機構２０により自動的に調整することができる。
すなわち、制御ユニットは、前置レンズ１４の種類を判別して、前置レンズ１４の焦点距離（パワー）に基づいて、観察対象にＯＣＴ光学系の焦点（ＯＣＴ走査面）を合わせるための、ＯＣＴ用対物レンズと前置レンズ１４の間の距離を算出する。そして、制御ユニットは、ＯＣＴ用対物レンズと前置レンズ１４の間の距離が算出した距離となるように、前置レンズ位置調整機構２０を制御して前置レンズ１４の位置を自動的に調整することができる。
【００７２】
図７に示されるように、保持アーム２３と前置レンズ位置調整機構２０は、鏡筒２２と連結した固定ブラケット２６により保持されている。そして、保持アーム２３と前置レンズ位置調整機構２０は、固定ブラケット２６の軸中心に対して回転運動できるようになっており、これにより、対物レンズ２と被検眼との間の光路上に前置レンズ１４を挿脱できるようになっている。
前置レンズ１４を光路上に挿入すると、被検眼の像が反転して逆像となるため、これを正像に戻すためのレンズユニットがインバータ部２７に設けられている。このインバータ部２７に設けられるレンズユニットの光学系には、例えば、特公平７−４８０９１号公報に開示のものを用いることができる。レンズユニットは、前置レンズの挿脱に連動して手動により切り替えレバー２８で鏡筒内の光路上に挿脱することができ、また、前置レンズの挿脱と連動してアクチュエータを作動させることにより自動的に鏡筒内の光路上に挿脱することもできる。
【００７３】
図８は、対物レンズと被検眼の間の光路上に前置レンズを挿入した場合と、前置レンズを脱離させた場合の光路長の違いを比較する模式図である。図８（Ａ）は、対物レンズと被検眼の間に前置レンズを挿入させずに、角膜や虹彩等の前眼部を観察する場合を示し、図８（Ｂ）は、対物レンズと被検眼の間に前置レンズを挿入して、眼底の網膜等の後眼部を観察する場合を示す。
図８（Ａ）と図８（Ｂ）の比較から明らかなように、対物レンズと被検眼との間の光路上に前置レンズを挿入して後眼部を観察する図８（Ｂ）の場合には、前置レンズを挿入せずに前眼部を観察する図８（Ａ）の場合と比較して、ＯＣＴ光学系の測定光の光路長が長くなる。その差は、片側方向の光路長で、Ｆ２（前置レンズの焦点距離）×２＋眼軸長（角膜頂点から眼底までの距離）となる。
【００７４】
前記のとおり、ＯＣＴにおいては、測定光と参照光を干渉させるにあたり、測定光と参照光を同じ距離だけ経由させる必要があるため、測定光の光路長と参照光の光路長は一致させる必要がある。したがって、前置レンズを光路上に挿入することにより、測定光の光路長が長くなると、それに応じて参照光の光路長を長くする必要がある。
第１の実施形態の眼科用顕微鏡においては、光路上への前置レンズの挿脱と連動して、図３に示されるＯＣＴユニット内のコーナーキューブ１０１０を移動させることで、参照光の光路の長さを一定の値だけ自動的に長くすることができる。
前記とおり、前置レンズを光路に挿入しない図８（Ａ）の場合と比較して、前置レンズを光路に挿入する図８（Ｂ）の場合には、測定光の光路長が、片側方向の光路長で、「Ｆ２×２＋眼軸長」だけ長くなる。したがって、前置レンズの挿入と連動して、図３に示されるコーナーキューブ１０１０の基準位置を「Ｆ２×２＋眼軸長」だけ自動的に移動させることにより、参照光の光路の長さを、片側方向の光路長で、「Ｆ２×２＋眼軸長」だけ長くすることができる。ここで、「眼軸長」はヒトの平均的な眼軸長を用いるが、眼軸長には個人差があるため、第１の実施形態の眼科用顕微鏡では、参照光の光路長の微調整を可能としている。
【００７５】
３．  制御機構
本発明の眼科用顕微鏡においては、ａ）被検眼と対物レンズの間の光路上に挿入される前置レンズの焦点距離に関する情報を取得するレンズ判別機構と、ｂ）対物レンズと前置レンズの間の距離及び／又はＯＣＴ用対物レンズと前置レンズの間の距離を調整する位置調整機構と、ｃ）レンズ判別機構により取得される前置レンズの焦点距離に関する情報に基づき位置調整機構を制御する制御機構とを有することが好ましい。
【００７６】
ここで、「焦点距離に関する情報」とは、前置レンズの焦点距離の値そのもののみならず、前置レンズの焦点距離に対応する情報であればいかなるものであってもよく、例えば、これらに限定されるわけではないが、焦点距離の逆数である前置レンズのパワー（屈折力）に関する値や、前置レンズのＩＤ情報であってもよい。
また、前記ａ）のレンズ判別機構については、光路に挿入される前置レンズの焦点距離に関する情報を取得して、制御機構に伝えることができる機構であればどのようなものであってもよい。例えば、これらに限定されるわけではないが、前置レンズに焦点距離の値を含むタグを付して、タグ読み取り機により前置レンズの焦点距離の値を取得して、制御機構に伝えるものであってもよい。また、前置レンズにＩＤタグを付して、タグ読み取り機により前置レンズのＩＤ情報が取得できる態様であってもよい。この場合には、制御機構は、前置レンズのＩＤ情報を取得するとともに、記憶媒体の情報にアクセスして、前置レンズのＩＤに応じた焦点距離の値を取得し、これにより光路に挿入される前置レンズの焦点距離の値を得ることができる。
ここで使用されるタグとしては、これらに限定されるわけではないが、例えば、ＲＦＩＤタグやＩＣタグのような無線タグ、磁気により情報を記録したタグ、バーコードにより情報を記録したタグ等を用いることができる。
【００７７】
前記ｂ）の位置調整機構としては、対物レンズと前置レンズの間の距離及び／又はＯＣＴ用対物レンズと前置レンズの間の距離を調整することができるものであれば、どのようなものであってもよい。例えば、これらに限定されるわけではないが、眼科用顕微鏡本体に対して、対物レンズとＯＣＴ用対物レンズと前置レンズの全てをアクチュエータの動力により移動させることができる機械的な機構とすることができる。また、眼科用顕微鏡本体に対して前置レンズのみをアクチュエータの動力により移動させることにより、対物レンズに対する距離とＯＣＴ用対物レンズに対する距離の双方を同時に変化させる機械的な機構であってもよい。
【００７８】
前記ｃ）の制御機構としては、レンズ判別機構により取得される前置レンズの焦点距離に関する情報に基づき位置調整機構を制御するものであれば、どのようなものであってもよい。例えば、これらに限定されるわけではないが、図５に示される対物レンズ２の焦点距離の値Ｆ１と、前置レンズ１４の焦点距離の値Ｆ２を加算してＨ１を算出し、対物レンズ２と前置レンズ１４の間の距離がＨ１となるように、図７に示される前置レンズ位置調整機構２０のモータ２００６を制御する電子回路とすることができる。
【００７９】
４．  対物レンズの形状
本発明の眼科用顕微鏡に使用する対物レンズとしては、第１の実施形態のように、円形レンズを使用することができる。
しかしながら、本発明においては、ＯＣＴ光学系の光軸と、観察光学系の光軸との成す角度を小さくすることが好ましく、そのためには、円形レンズの部分形状を有する対物レンズ、又は円形レンズに切り欠きを設けた形状を有する対物レンズを用いることが好ましい。
【００８０】
本発明において「円形レンズの部分形状」とは、レンズの光軸方向から平面視した場合に円形のレンズの一部を切り取った形状をいい、これらに限定されるわけではないが、例えば、左眼用観察光学系の光路と右眼用観察光学系の光路が透過するように、半円状、扇形状、矩形状等に切り取った形状のレンズを使用することができる。
また、本発明において、「円形レンズに切り欠きを設けた形状」とは、レンズの光軸方向から平面視した場合に、切り欠きが設けられている形状をいい、これらに限定されるわけではないが、例えば、ＯＣＴ光学系の光路が透過する部分に切り欠きを設けた形状のレンズを使用することができる。
【００８１】
このような形状のレンズを用いて、円形レンズにおいて切り取られたレンズが存在しない部分、又はレンズに設けられた切り欠きを、ＯＣＴ光学系の光路が通過することができる。これにより、ＯＣＴ光学系の光軸が対物レンズを透過することなく、ＯＣＴ光学系の光軸と観察光学系の光軸とのなす角度を小さくすることができる。
本発明においては、ＯＣＴ光学系の光軸と、観察光学系の光軸（左右の観察光路の光軸のいずれか）とのなす角度を１〜１５°とすることが好ましく、より好ましくは、４〜１０°とするのがよく、さらに好ましくは６〜８°とするのがよい。
【００８２】
本発明の眼科用顕微鏡においては、円形レンズ又は円形レンズの部分からなるレンズを２つに分割し、分割した一方のレンズを、観察光学系の光軸が透過する対物レンズとし、分割したもう一方のレンズを、ＯＣＴ光学系の光軸が透過する対物レンズとすることができる。
ここで、「円形レンズの部分からなるレンズ」とは、前記した「円形レンズの部分形状」を有するレンズを用いることができる。
このような分割したレンズを用い、それぞれを独立して位置制御可能とすれば、観察光学系とＯＣＴ光学系を独立して制御することが可能となる。
【００８３】
５．  第２の実施形態
ＯＣＴ光学系は、観察光学系と照明光学系とを有する眼科用顕微鏡に、拡張機能として付加的に組み込むことができると好ましい。このように付加的に組み込むためには、ＯＣＴ光学系の光路を２回折り曲げることで、顕微鏡が持つ本来の機能に適合させてコンパクトに組み込むことができることを本発明者らは見出した。
【００８４】
すなわち、本発明の眼科用顕微鏡においては、ＯＣＴ光学系が、
ＯＣＴ光源からの光を第１の光軸方向に導光する第１光学部材と、
第１の光軸方向に導光された光を第１の光軸方向に略直交する第２の光軸方向に導光する第１反射部材と、
第２の光軸方向に導光された光をリレーする第２光学部材と、
第２光学部材によりリレーされた光を第２の光軸方向に略直交する第３の光軸方向に導光する第２反射部材とを有しており、
ＯＣＴ用対物レンズは、第３の光軸方向に導光された光を観察対象の所定箇所に照射できるように、第３の光軸上に配置することが好ましい。
このような光学構成とすることにより、眼科用顕微鏡が持つ本来の機能に適合させてコンパクトにＯＣＴ光学系を組み込むことができる。
【００８５】
以下、光路が２回折り曲げられたＯＣＴ光学系を有する本発明の眼科用顕微鏡の実施形態の例を、図面を参照しながら詳細に説明する。
図９〜１４は、本発明の眼科用顕微鏡の他の一例である第２の実施形態を模式的に示す図面である。
【００８６】
図９は眼科用顕微鏡１の側面模式図であり、図１０は同じく正面模式図である。
図９及び図１０に示すように、眼科用顕微鏡１にはＯＣＴ装置５が併設されている。
眼科用顕微鏡１は、照明光学系３００（図１０には示していない）と観察光学系４００とＯＣＴ光学系５００とを備えている。
観察光学系４００は、観察対象（図９及び図１０では被検眼８）の所定箇所を観察することができる。図９に参照されるように、照明光学系３００は、被検眼８の観察すべき部分を照明することができる。
【００８７】
眼科用顕微鏡１に併設されたＯＣＴ装置５は、被検眼８の断層画像を取得することができる。ＯＣＴ光学系５００は、ＯＣＴ装置５の一部として眼科用顕微鏡１に組み込まれている。ＯＣＴ光学系５００、前置レンズ１４及び被検眼８の反射面（角膜、網膜等）により、測定光の往復導光路が構成される。
図１０に明示されるように、観察光学系４００は、右眼用観察光学系４００Ｒと左眼用観察光学系４００Ｌを有している。なお、図９では、右眼用観察光学系４００Ｒについては全構成が示され、左眼用観察光学系４００Ｌについては右眼用観察光学系４００Ｒと共用される対物レンズ２のみが示されている。
また、図１０に明示されるように、右眼用観察光学系４００Ｒの光軸Ｏ−４００Ｒと左眼用観察光学系４００Ｌの光軸Ｏ−４００Ｌは、それぞれ対物レンズ２を通過している。
本実施形態では、照明光学系３００と、観察光学系４００は、眼科用顕微鏡本体６に収納されている。また、ＯＣＴ光学系５００は、機能拡張ユニット７に収納されている。図９及び１０においては、眼科用顕微鏡本体６を一点鎖線で示し、機能拡張ユニット７を破線で示す。
機能拡張ユニット７は、眼科用顕微鏡本体６に対し、図示しないジョイント部により、取り外し／取り付けが可能に連結されている。
【００８８】
図９及び図１０に示されるように、ＯＣＴ装置５は、ＯＣＴユニット１０及び機能拡張ユニット７からなる。
機能拡張ユニット７には、ＯＣＴ光学系５００が収容されている。
図１１はＯＣＴ光学系５００の斜視図、図１２は同じく平面図、図１３は同じく側面図、図１４は同じく正面図である。なお、図１２及び図１４では、コリメートレンズ５０２、走査機能部５０３及び第１光学部材５１０（後述する）は図示していない。
図１１及び図１３において、ＯＣＴ光学系５００は、コリメートレンズ５０２、走査機能部５０３、第１光学部材５１０、第１反射部材５１１、第２光学部材５１２、第２反射部材５１３、及びＯＣＴ用対物レンズ５０７を含んで構成されている。
【００８９】
走査機能部５０３は光スキャナ５０３ａ，５０３ｂを有する二次元走査機構である。走査機能部５０３は、眼科用顕微鏡本体６の背面側（観測者から遠い側）に設けられている。
第１光学部材５１０は、ＯＣＴ結像レンズであり、走査機能部５０３により走査された光を第１の光軸Ｏ−５０１の方向に導光させる。第１の光軸Ｏ−５０１は、眼科用顕微鏡本体６を正面から見たときに、眼科用顕微鏡本体６の右の外寄りの位置において奥から手前に形成されており、走査機能部５０３により走査された光は、第１の光軸Ｏ−５０１を奥から手前側に向けて導光する。
【００９０】
図１１，図１２，図１３及び図１４に示すように、第１の光軸Ｏ−５０１を導光する光は第１反射部材５１１により、第１の光軸Ｏ−５０１の方向に直交する第２の光軸Ｏ−５０２の方向に導光させる。
本実施形態では、図１０に参照されるように、第２の光軸Ｏ−５０２は、眼科用顕微鏡本体６の右の外側から内側に向くように形成されている。
第２の光軸Ｏ−５０２には第２光学部材５１２が配置されており、第２光学部材５１２を通過した光は第２反射部材５１３により下向きに（第２の光軸Ｏ−５０２に略直交する方向に）反射される。この反射光路は、第３の光軸方向Ｏ−５０３で示されている。
【００９１】
本実施形態においては、対物レンズ２は、図９に示されるように、光軸Ｏ−４００に略平行な切断面を有するように切り欠かれている。
本実施形態では、この切り欠き部分に、ＯＣＴ用対物レンズ５０７が収容されている。
第３の光軸方向Ｏ−５０３に導光された光は、ＯＣＴ用対物レンズ５０７により、被検眼８側の所定位置にて合焦される。
なお、図９及び図１０では、対物レンズ２の前側焦点位置Ｕ０は、被検眼８の手前にあり、被検眼８と前側焦点位置Ｕ０との間に前置レンズ１４が配置されている。
【００９２】
前置レンズ１４は、眼底の網膜を観察するときに使用するレンズであり、図示しない移動手段により、前置レンズ１４が被検眼の眼前の光軸Ｏ−３００、Ｏ−４００Ｌ、Ｏ−４００Ｒ、Ｏ−５０３上に挿入される。この場合には、対物レンズ２の前側焦点位置Ｕ０は、眼底の網膜と共役となる。また、角膜、虹彩等の前眼部を観察するときには、前置レンズ１４を被検眼８の眼前から脱離させて観察を行う。
【００９３】
上記したようにＯＣＴ光学系５００の光軸Ｏ−５０３は、ＯＣＴ用対物レンズ５０７を通っており、ＯＣＴ光学系５００の光軸Ｏ−５０３は、観察光学系４００の光軸Ｏ−４００と離れている。
したがって、ＯＣＴ光学系５００と観察光学系４００とは相互に独立している。
【００９４】
６．  第３の実施形態
本発明の眼科用顕微鏡の他の一例である第３の実施形態において使用される対物レンズの形状を、図１５に示す。図１５（Ａ）は、対物レンズの光軸の方向から見た図であり、図１５（Ｂ）は、側面から見た図である。
図１５（Ａ）に示されるように、第３の実施形態で使用する対物レンズ２は、円形レンズの一部に切り欠きを設けた形状をしている。そして、その切り欠き部分を、ＯＣＴ光学系の光路Ｐ−５００が通過している。
【００９５】
７．  第４の実施形態
本発明の眼科用顕微鏡の他の一例である第４の実施形態において使用される対物レンズの形状を、図１６に示す。図１６（Ａ）は、対物レンズの光軸の方向から見た図であり、図１６（Ｂ）は、側面から見た図である。
図１６（Ａ）に示されるように、第４の実施形態で使用する対物レンズ２は、円形レンズの一部を矩形状に切り取った形をしており、左眼用観察光学系の光路Ｐ−４００Ｌと右眼用観察光学系の光路Ｐ−４００Ｒが、それぞれ対物レンズ２の異なる箇所を透過している。そして、対物レンズ２の近傍を、ＯＣＴ光学系の光路Ｐ−５００と照明光学系の光路Ｐ−３００が通過している。
また、図１６（Ｂ）に示されるように、対物レンズ２の側面形状は、凸レンズの一部を切り取った部分形状となっている。
【００９６】
８．  第５の実施形態
本発明の眼科用顕微鏡の他の一例である第５の実施形態において使用される対物レンズの形状を、図１７に示す。図１７（Ａ）は、対物レンズの光軸の方向から見た図であり、図１７（Ｂ）は、側面から見た図である。
図１７（Ａ）に示されるように、第５の実施形態で使用する対物レンズ２は、円形レンズの一部を半円状に切り取った形をしており、左眼用観察光学系の光路Ｐ−４００Ｌ、右眼用観察光学系の光路Ｐ−４００Ｒ、及び照明光学系の光路Ｐ−３００が、それぞれ対物レンズ２の異なる箇所を透過している。そして、対物レンズ２の近傍を、ＯＣＴ光学系の光路Ｐ−５００が通過している。
また、図１７（Ｂ）に示されるように、対物レンズ２の側面形状は、凸レンズの一部を切り取った部分形状となっている。
【００９７】
９．  第６の実施形態
本発明の眼科用顕微鏡の他の一例である第６の実施形態において使用される対物レンズの形状を、図１８に示す。図１８（Ａ）は、対物レンズの光軸の方向から見た図であり、図１８（Ｂ）は、側面から見た図である。
図１８（Ａ）に示されるように、第６の実施形態で使用する対物レンズ２は、円形レンズの一部を三日月状に切り取った形をしており、左眼用観察光学系の光路Ｐ−４００Ｌ、右眼用観察光学系の光路Ｐ−４００Ｒ、及び照明光学系の光路Ｐ−３００が、それぞれ対物レンズ２の異なる箇所を透過している。そして、対物レンズ２の近傍を、ＯＣＴ光学系の光路Ｐ−５００が通過している。
また、図１８（Ｂ）に示されるように、対物レンズ２の側面形状は、凸レンズの一部を切り取った部分形状となっている。
【００９８】
１０．  第７の実施形態
本発明の眼科用顕微鏡の他の一例である第７の実施形態において使用される対物レンズとＯＣＴ用対物レンズの形状を、図１９に示す。図１９（Ａ）は、対物レンズの光軸の方向から見た図であり、図１９（Ｂ）は、側面から見た図である。
図１９（Ａ）に示されるように、第８の実施形態で使用する対物レンズとＯＣＴ用対物レンズは、円形レンズを２つに分割したものである。そして、分割した一のレンズ２は、対物レンズとして使用され、左眼用観察光学系の光路Ｐ−４００Ｌ、右眼用観察光学系の光路Ｐ−４００Ｒ、及び照明光学系の光路Ｐ−３００が透過している。そして、分割した他の一のレンズ５０７は、ＯＣＴ用対物レンズとして使用され、ＯＣＴ光学系の光路Ｐ−５００が通過している。
また、図１９（Ｂ）に示されるように、対物レンズ２とＯＣＴ用対物レンズ５０７の側面形状は、凸レンズを２つに分割した形状となっている。
【産業上の利用可能性】
【００９９】
本発明の眼科用顕微鏡は、眼科用の医療機器を製造する産業において有用である。
【符号の説明】
【０１００】
図１〜１９で使用した符号が指し示すものは、以下のとおりである。
１          眼科用顕微鏡
２          対物レンズ
３００      照明光学系
３０１      光ファイバ
３０２      出射光絞り
３０３      コンデンサレンズ
３０４      照明野絞り
３０５      コリメートレンズ
３０６      反射ミラー
４００      観察光学系
４００Ｌ    左眼用の観察光学系
４００Ｒ    右眼用の観察光学系
４００Ｓ    副観察光学系
４０１      変倍レンズ系
４０１ａ，４０１ｂ，４０１ｃ    ズームレンズ
４０２      ビームスプリッタ
４０３      結像レンズ
４０４      像正立プリズム
４０５      眼幅調整プリズム
４０６      視野絞り
４０７      接眼レンズ
４０８      プリズム
４０８ａ    プリズムの反射面
４０９      結像レンズ
４１０      反射ミラー
４１１      助手用接眼レンズ
５          ＯＣＴ装置
５００      ＯＣＴ光学系
５０１      光ファイバ
５０２      コリメートレンズ
５０３      走査機能部
５０３ａ，５０３ｂ    光スキャナ
５０４      リレー光学系
５０５      第１レンズ群
５０６      第２レンズ群
５０７      ＯＣＴ用対物レンズ
５０９      照明野絞り
５１０      第１光学部材
５１１      第１反射部材
５１２      第２光学部材
５１３      第２反射部材
６          眼科用顕微鏡本体
７          機能拡張ユニット
８          被検眼
８ａ        網膜
９          照明光源
１０        ＯＣＴユニット
１００１    ＯＣＴ光源ユニット
１００２    光ファイバ
１００３    偏波コントローラ
１００４    光ファイバ
１００５    ファイバカプラ
１００６    光ファイバ
１００７    コリメータ
１００８    光路長補正部材
１００９    分散補償部材
１０１０    コーナーキューブ
１０１１    コリメータ
１０１２    光ファイバ
１０１３    偏波コントローラ
１０１４    光ファイバ
１０１５    アッテネータ
１０１６    光ファイバ
１０１７    ファイバカプラ
１０１８    光ファイバ
１０１９    光ファイバ
１０２０    光ファイバ
１０２１    検出器
１１０１    結像レンズ
１１０２    反射ミラー
１１０３    テレビカメラ
１１０３ａ  撮像素子
１２        制御ユニット
１３        表示部
１４，１４´    前置レンズ
１５        支柱
１６        アーム
１７        Ｘ−Ｙ微動装置
１８        術者用顕微鏡
１９        助手用顕微鏡
２０        前置レンズ位置調整機構
２００１    支持ブラケット
２００２    回動ネジ
２００３    可動板
２００４    連結アーム
２００５    微動調整ノブ
２００６    モータ
２１        フットスイッチ
２２        鏡筒
２３        保持アーム
２４        保持板
２５        タグ検出器
２６        固定ブラケット
２７        インバータ部
２８        切り替えレバー
Ｆ１            対物レンズの焦点距離
Ｆ２，Ｆ２´    前置レンズの焦点距離
Ｈ１，Ｈ１´    対物レンズと前置レンズの間の距離
Ｈ２，Ｈ２´，Ｈ２´´    対物レンズと被検眼の間の距離
Ｏ−３００      照明光学系の光軸
Ｏ−４００      観察光学系の光軸
Ｏ−４００Ｌ    左眼用観察光学系の光軸
Ｏ−４００Ｒ    右眼用観察光学系の光軸
Ｏ−４００Ｓ    副観察光学系の光軸
Ｏ−５００      ＯＣＴ光学系の光軸
Ｏ−５０１      第１の光軸
Ｏ−５０２      第２の光軸
Ｏ−５０３      第３の光軸
Ｐ−３００      照明光学系の光路
Ｐ−４００Ｌ    左眼用観察光学系の光路
Ｐ−４００Ｒ    右眼用観察光学系の光路
Ｐ−５００      ＯＣＴ光学系の光路
Ｌ０            ＯＣＴ光源ユニットから出力された光
ＬＣ            干渉光
ＬＳ            測定光
ＬＲ            参照光
Ｕ０            前側焦点位置
【図１】
2018171438.tif 000003
【図２】
2018171438.tif 000004
【図３】
2018171438.tif 000005
【図４】
2018171438.tif 000006
【図５】
2018171438.tif 000007
【図６】
2018171438.tif 000008
【図７】
2018171438.tif 000009
【図８】
2018171438.tif 000010
【図９】
2018171438.tif 000011
【図１０】
2018171438.tif 000012
【図１１】
2018171438.tif 000013
【図１２】
2018171438.tif 000014
【図１３】
2018171438.tif 000015
【図１４】
2018171438.tif 000016
【図１５】
2018171438.tif 000017
【図１６】
2018171438.tif 000018
【図１７】
2018171438.tif 000019
【図１８】
2018171438.tif 000020
【図１９】
2018171438.tif 000021
【図２０】
2018171438.tif 000022
【図２１】
2018171438.tif 000023